(57)【要約】【課題】密閉可能な食品やごみの収納容器内の空気循環を効率化し、物品の収納保管状態を良好に維持すること。【解決手段】収納容器１４と、蓋部材１９と、収納容器１４に接続開放自在な換気装置２９とを備え、収納容器１４の開放縁１４ａ近傍に沿った通気路２２とこの通気路２２に収納容器１４の奥方に向けて開放した通気開口２１を備え、通気路２２は、収納容器１４の外面に備えた外部開口１４ｃにより換気装置２９と空気連通することで、収納容器１４内に対する給気あるいは排気が効率的におこなわれ、収納容器１４内の換気が良好となり、物品の保管状態が良好となり利便性が高まる。【選択図】図１
2006122566.tif 000002
【特許請求の範囲】
【請求項１】
少なくとも一面に開放面を有した函状の収納容器と、前記開放面を密閉開放可能な蓋部材と、換気装置を備え、収納容器の開放縁近傍に沿う通気路を設け、通気路には収納容器の奥方に向けて開放した通気開口を設け、通気路は収納容器の外面に開口した外部開口を介して収納容器外に備えた換気装置と空気連通した換気付き収納容器装置。
【請求項２】
収納容器と換気装置は、連結と分離が自在な通気路接続手段を介して空気連通した請求項１に記載の換気付き収納容器装置。
【請求項３】
収納容器は複数区画に分割使用可能な区画部材を備え、通気開口は、前記の複数区画に応じて配置した請求項１または２に記載の換気付き収納容器装置。
【請求項４】
複数個の収納容器を備え、全ての収納容器の通気路が外部開口を介して空気連通してなる請求項１〜３のいずれか１項に記載の換気付き収納容器装置。
【請求項５】
外部開口を収納容器の外面２面に備えた複数個の収納容器を、前記の外部開口同士を対峙連通し通気路を直列接続して相互に隣接配置し、先頭位置の収納容器と換気装置とを空気連通してなる請求項１〜４のいずれか１項に記載の換気付き収納容器装置。
【請求項６】
少なくとも１組以上の袋とこの袋の口縁を開放して口縁を巻き付け保持する口枠部材と、これらを、収納容器の開放縁より少許奥方で開放面に略平行に口枠部材受け部を設け、口枠部材を着脱自在に装着支持してなる請求項１〜５のいずれか１項に記載の換気付き収納容器装置。
【請求項７】
収納容器の開放縁を覆い密接嵌着する蓋受け部材を備え、収納容器の開放縁近傍の周壁と蓋受け部材とにより通気路を形成した請求項１〜６のいずれか１項に記載の換気付き収納容器装置。
【請求項８】
通気路は収納容器の２辺に沿ってして設け、一方を給気路、他方を排気路とした請求項１〜７のいずれか１項に記載の換気付き収納容器装置。
【請求項９】
通気路の途中もしくは収納容器外の換気装置に、収納容器内空気の脱臭手段、調質媒体の添加手段、冷却もしくは加温もしくは除湿手段あるいはこれらを組み合わせて備えた請求項１〜８のいずれか１項に記載の換気付き収納容器装置。
【請求項１０】
収納容器と換気装置のうち、少なくとも収納容器が、使用面より出し入れ自在な引き出し機構を備えた請求項１〜９のいずれか１項に記載の換気付き収納容器装置。
【請求項１１】
収納容器と換気装置のうち、少なくとも収納容器を移動自在なワゴンに備えた請求項１〜９のいずれか１項記載の換気付き収納容器装置。
【発明の詳細な説明】
【技術分野】
【０００１】
本発明は、キッチン等で使用する物品収納容器内の空気を循環および排出換気する装置に関するものである。
【背景技術】
【０００２】
従来、この種の収納容器は、収納容器内に備えた送風機により容器内に空気循環を発生させ、収納物から発生する臭気を脱臭手段で吸着し、再度収納容器内に排出している（例えば、特開文献１参照）。
【０００３】
図１４は、特開文献１に記載された従来の収納容器と脱臭装置を示すものである。
【０００４】
図１４に示すように、収納容器１の内の中央上方に備えた送風機３と、この上流側に設けた脱臭手段４から構成されている。
【特許文献１】特開２００４−２０３５００号公報
【発明の開示】
【発明が解決しようとする課題】
【０００５】
しかしながら、前記従来の構成では、送風機３と脱臭手段４の相対距離は、収納容器１内の収納物と送風機３あるいは脱臭手段４との相対距離に比して、極めて近い位置にあるので、空気循環は収納容器１の底方つまり収納物に至ることが少なく、送風機３と脱臭手段４との短絡状態になる傾向が多く、脱臭効率が低下する課題を呈していた。
【０００６】
また、収納物の種類や量が多い場合は、従来の構成になる収納容器１を複数個必要とし、経済的に不都合なものであった。
【０００７】
本発明は、前記従来の課題を解決するもので、臭気を発生するごみや食品等の収納容器内を効率的に送風換気し、あるいは収納物の鮮度を維持しつつ保管し、快適な住空間を実現する使い勝手が良く、収納容量あるいは収納物の種類に応じて収納量を選択自在に増やすことのできる収納容器装置を提供することを目的とする。
【課題を解決するための手段】
【０００８】
前記従来の課題を解決するために、本発明の換気付き収納容器装置は、少なくとも一面を開放した函体の物品収納容器と、前記開放面を密閉開放可能な蓋部材を有し、開放縁端近傍に沿う通気路を設け、通気路には、容器の奥方に向けて開放した通気開口を備え、通気路は収納容器の外面に開口した外部開口を介して収納容器外に備えた換気装置と空気連通した構成とするものである。
【０００９】
これによって、換気装置を運転することにより、収納容器上部から底方にかけて強制的に外気が供給でき、あるいは収納容器内底部に滞留していた空気を外部に効率的に排出することができ、収納容器内が常に良好な空気質で充満維持することができ、しかも換気装置の停止中は収納容器の蓋を閉塞していることにより、収納容器内に異物や害虫の浸入を防止することを防止することができるとともに、換気装置により収納容器内の臭気が不用意に室内に放散されることも防止できるものである。
【発明の効果】
【００１０】
本発明の換気付き収納容器装置は、収納容器内奥方に対して空気を効率的に導入あるいは排出し、収納容器内空気を換気することが可能であり、収納物品の維持保管がより良好な状態で提供することができる。
【発明を実施するための最良の形態】
【００１１】
第１の発明は、少なくとも一面に開放面を有した函状の収納容器と、前記開放面を密閉開放可能な蓋部材と、換気装置を備え、収納容器の開放縁近傍に沿う通気路を設け、通気路には収納容器の奥方に向けて開放した通気開口を設け、通気路は収納容器の外面に開口した外部開口を介して収納容器外に備えた換気装置と空気連通した構成とすることにより、密閉容器内の奥方に対しても、外部からの空気の給気もしくは排気を良好とすることが可能となり、収納物の保管状態を良好に維持することができる。
【００１２】
第２の発明は、特に第１の発明の収納容器と換気装置を、連結と分離が自在な通気路接続手段を介して空気連通することにより、収納容器の可搬性が附加でき、収納容器単独の清掃等の取扱性に優れた効果を提供できる。
【００１３】
第３の発明は、特に第１または第２の発明の収納容器を複数区画に分割使用可能な区画部材を備え、通気開口は、前記の複数区画に応じて配置することにより、収納容器への物品収納を分別使用することが可能になると共に、区画分別された空間毎に良好な通気がおこなえる効果を提供する。
【００１４】
第４の発明は、特に第１〜３のいずれか一つの発明において、複数個の収納容器を備え、全ての収納容器の通気路が外部開口を介して空気連通することにより、収納保管物品が多い場合あるいは収納物品の種類による分別数が多い場合にも、各収納容器毎に確実な通気がおこなえる。
【００１５】
第５の発明は、特に第１〜４の発明のいずれか一つの発明において、外部開口を収納容器の外面２面に備えた複数個の収納容器を、前記の外部開口同士を対峙連通し通気路を直列接続して相互に隣接配置し、先頭位置の収納容器と換気装置とを空気連通することにより、収納容器の数量に制限を受けることなく、多種多量の収納物の保管するシステムを収納容器の数量増減のみで提供可能となり、収納容器装置の構成が簡素化できる。
【００１６】
第６の発明は、特に第１〜５のいずれか一つの発明において、少なくとも１組以上の袋とこの袋の口縁を開放して口縁を巻き付け保持する口枠部材と、これらを、収納容器の開放縁より少許奥方で開放面に略平行に口枠部材受け部を設け、口枠部材を着脱自在に装着支持する構成とすることにより、簡便な構造の口枠部材と汎用性の高い袋を用いて収納容器内が区画分別可能となり、袋の口縁を開放した状態で各々の袋内に通気を付与することができ、口枠部材の取扱性の高さを含めて、収納容器装置の収納保管の利便性が高まる。
【００１７】
第７の発明は、特に第１〜６のいずれか一つの発明において、収納容器の開放縁を覆い密接嵌着する蓋受け部材を備え、収納容器の開放縁近傍の周壁と蓋受け部材とにより通気路を形成することにより、収納容器内の通気路は収納容器と蓋部材の組み合わせのみで構成され、各々部材は分離取り外し自在で、簡素な構造の部材により清掃性も良好となる。
【００１８】
第８の発明は、特に第１〜７のいずれか一つの発明の通気路は収納容器の２辺に沿ってして設け、一方を給気路、他方を排気路とすることにより、収納容器内に対して通気の入口と出口を配置することで、収納容器内の空気循環が無駄なく効率的になり、また、給気もしくは排気空気各々に対して、空気質の改質調整制御がおこなえ、収納容器装置の物品保管維持に関して良好な性能を付与できる。
【００１９】
第９の発明は、特に第１〜８のいずれか一つの発明において、通気路の途中もしくは収納容器外の換気装置に、収納容器内空気の脱臭手段、調質媒体の添加手段、冷却もしくは加温もしくは除湿手段あるいはこれらを組み合わせて備えた構成とすることにより、収納容器内空気の状態制御が附加できる。
【００２０】
これにより、例えばごみの臭気脱臭、特定ガスによる食品の鮮度保持等の収納物品の保管状態維持あるいは改質が可能となり、収納容器装置の性能は高いものが提供できる。
【００２１】
第１０の発明は、特に第１〜９のいずれか一つの発明において、収納容器と換気装置のうち、少なくとも収納容器が、使用面より出し入れ自在な引き出し機構を備えた構成とすることにより、収納物品の保管収納出し入れに関する取扱性は簡単になり、また、収納容器装置がキャビネットに隠蔽されるので、収納容器装置全体の室内インテリア性が高まり好適である。
【００２２】
第１１の発明は、特に第１〜９のいずれか一つの発明において、収納容器と換気装置のうち、少なくとも収納容器を移動自在なワゴンに備えた構成とすることにより、物品収納出し入れ作業時に、手元に収納容器を移動させることにより利便性が高まるとともに、物品保管時は、換気装置から収納容器への通気により、収納保管物品の状態維持に好適な効果を提供できる。
【００２３】
以下、本発明の実施の形態について、図面を参照しながら説明する。なお、この実施の形態によって本発明が限定されるものではない。
【００２４】
（実施の形態１）
図１は本発明の実施の形態１における換気付き収納容器装置の外観斜視図を示し、図２は収納容器部分の分解斜視図を示し、図３は収納容器部分の外観斜視図を示し、図４は換気付き収納容器装置の要部縦断面図を示し、図５は蓋部材部分の要部縦断面図を示し、図６は蓋部材部分の要部縦断面図を示し、図７は換気装置の平面断面図を示すものである。
【００２５】
図において、本発明の換気付き収納容器装置１１は、システムキッチン１２のカウンター１２ａの下方に設置したキャビネット１３に組み込まれ、キャビネット１３は床面１２ｂおよび後壁面１２ｃに設置固定されている。
【００２６】
キャビネット１３は、前面側に配した扉体１３ａ、左右の側板１３ｂ、底板１３ｃ、後板１３ｄとによって箱型の空間を区画形成している。
【００２７】
収納容器１４をキャビネット１３の前面側に出し入れ自在に摺道する引き出し機構１５としては、側板１３ｄに取り付けた左右一対のスライドレール１５ａと、これに載置装着され前面側に扉体１３ａを固定してなる引き出し枠部材１５ｂから構成され、前記引き出し枠部材１５ｂに、収納容器１４を落とし込み装着することにより、収納容器１４はキャビネット１３から引き出し格納および着脱自在となり、さらに扉体１３ａを含む引き出し機構１５の閉成により、キャビネット１３内部を密閉可能としている。
【００２８】
収納容器１４は、上部に矩形平面をなす開放縁１４ａを有する略函状に成型され、
開放縁１４ａを形成する収納容器１４の上部外周壁１４ｂの１辺に、収納容器１４内外を連通する外部開口１４ｃが２個一対で形成され、さらに前記の外部開口１４ｃより少許底方には、開放縁１４ａと平行に所定の幅の平坦な段部１４ｄを収納容器１４の４辺に設け、外部開口１４ｃの一対が隣り合う部分には、前記段部１４ｄを分断し、上部外周壁１４ｂが収納容器１４の内側に向かって延出する隔壁１４ｅを形成している。
【００２９】
前記段部１４ｄの端部はさらに、収納容器１４の底方に向かい前記外周壁１４ｂと略平行なる少許高さの中間部外周壁１４ｆを経て、前記段部１４ｄと略平行に口枠部材受け部１４ｇを平坦に収納容器１４の４辺に形成し、さらに口枠部材受け部１４ｇより底方では、下部外周壁１４ｈと底部１４ｉにより収納容器１４を函状に形成している。
【００３０】
一方、前記の口枠部材受け部１４ｇには、丸棒材を略矩形の環状に形成した口枠部材１６を並列に２つ載置している。
【００３１】
また、軟質材で形成した袋１７は、袋１７の底方を収納容器１４の底方に向けて前記の口枠部材１６の環状内側に嵌め付け装着し、袋１７の口縁１７ａを口枠部材１６の外側に向けて巻き付け折り返す形態にて、袋１７の上部と口枠部材１６を、前記の口枠部材受け部１４ｇに載置装着している。
【００３２】
収納容器１４の上部開口に対して着脱自在に嵌着する蓋受け部材１８は、収納容器１４の上部外周壁１４ｂの４辺に略平行で外側を覆う形態の外壁１８ａ、収納容器１４の段部１４ｄに下端を接して略垂直上方に立ちあがる外壁１８ａに略平行な４辺を有する内壁１８ｂと、外壁１８ａと内壁１８ｂを繋ぎ蓋受け部材１８の天面となる蓋当接部１８ｃによって一体に成型されて、内壁１８ｂの内側が、収納容器１４への物品出し入れ開口１８ｄとしている。
【００３３】
さらに、前記蓋受け部材１８の４辺の内壁１８ｂの内、収納容器１４の外部開口１４ｃのない２辺の上部外周壁１４ｂに対峙した内壁１８ｂには、前記の口枠部材１６各々に応じた位置に、収納容器１４の底方に向かって備えた通気開口２１を、蓋受け部材１８の蓋当接部１８ｃおよび内壁１８ｂから延出形成してなる膨出屋根部１８ｅにより構成している。
【００３４】
上記の収納容器１４と蓋受け部材１８を組み合わせ状態では、収納容器１４の上部外周壁１４ｂと開放縁１４ａから少許奥方の段部１４ｄ、蓋受け部材１８の内壁１８ｂと天面となる蓋当接部１８ｃ、収納容器１４の開放縁１４ａの対向２辺の外部開口１４ｃと隔壁１４ｅにより形成される略矩形断面かつ略コの字平面の空間が、収納容器１４の開放縁１４ａの３辺の上端部に沿った２系統の通気路２２として形成され、それぞれ給気路２３と排気路２４として使用している。
【００３５】
また、２対の口枠部材１６および袋１７によって、収納容器１４は２区画の収納部に分割された形態となっており、前記口枠部材１６および袋１７の組み合わせは、収納容器１４の区画部材２５として、通気路２２に対して直交方向に２区画を配列形成しており、さらに前記蓋受け部材１８の膨出屋根部１８ｅにより、２区画つまり２つの袋１７各々の内方に向かって開放された通気開口２１を形成している。
【００３６】
蓋受け部材１８の物品出し入れ開口１８ｄを閉塞開放する蓋部材１９は、下面に弾性体からなるシールパッキン２０を嵌着して備え、シールパッキン２０が、蓋当接部１８ｃに押し付け圧縮されることで、収納容器１４と蓋受け部材１８と蓋部材１９は、外部から密閉閉塞される収納空間を形成する。
【００３７】
さらに蓋部材１９とこの上面に位置する板状に形成された蓋支持部材２６は、蓋部材１９の天面後端近傍に設けた左右２箇所の係合孔１９ａと、蓋支持部材２６の蓋支持板２６ａ後方にあって前記係合孔１９ａに挿入嵌着される爪部２６ｂとの組み合わせと、蓋部材１９の前方寄り中央に設けた取付ねじ１９ｂと蓋支持板２６ａとの螺合締結により、取り外し装着自在に蓋部材１９を懸垂保持している。
【００３８】
また、蓋部材１９の最後方端には、下方の収納容器１４が格納動作途中より奥位置で、蓋受け部材１８の外壁１８ａの後面と当接する容器当接部１９ｃを、少許下方に延出して蓋部材１９に一体に形成している。
【００３９】
蓋支持板２６ａの左右の側部には、折り曲げ立ち上がり部を形成し、蓋支持板２６ａの前方と後方の２ヵ所に、左右対向の軸孔２６ｃを貫通し水平左右方向に配した回転リンク軸２６ｄを配し、この回転リンク軸２６ｄに軸枢支され、収納容器装置１１の前後方向に回動する前後一対の回転リンク２６ｅを、回転リンク２６ｅ上部の左右一対の固定リンク２６ｆに対して固定リンク軸２６ｇを介して、回動自在に枢支している。
【００４０】
さらに、左右一対の固定リンク２６ｆは、その上部の基台２６ｈに固定装着され、基台２６ｈは、キャビネット１３の左右両側板１３ｂに固定されている。
【００４１】
上記の蓋支持板２６ａと、前後一対の回転リンク２６ｅと、左右一対の固定リンク２６ｆにより、平行リンク機構２７を構成し、固定リンク２６ｆおよび固定リンク軸２６ｇは固定端２７ａとして、蓋支持板２６ａと回転リンク軸２６ｄは回動自由端２７ｂとして作用する。
【００４２】
回転リンク２６ｅの回転リンク軸２６ｄならびに蓋支持板２６ａは、鉛直下方位置を下死点として、この下死点より少許角度奥方寄りの図示（ア）位置から、下死点より所定角度手前寄りの図示（イ）位置まで回動すべく、回転リンク２６ｅの回動位置規制が設けられ、蓋部材１９ならびに蓋支持板２６ｅは、収納容器１４の開放縁１４ａと略平行の水平状態を保って、手前上昇位置から下死点を超えて後方上位置の間を移動可能である。
【００４３】
加えて、固定リンク２６ｆと回転リンク軸２６ｄとの間には、引っ張りコイルばねからなる復帰ばね２８を係合設置している。
【００４４】
復帰ばね２８の固定リンク２６ｆ側の拘束位置は、回転リンク２６ｅの下死点位置での回転リンク軸２６ｄ位置と固定リンク軸２６ｇを結ぶ位置よりも後方位置に設け、復帰ばね２８の最大引っ張り力は、回転リンク２６ｅの下死点位置より少許手前で生じるように設置している。
【００４５】
次に、換気装置２９は、この前面側に、キャビネット１３の前面扉体１３ａと略同一面で、かつ幅寸法を略同一になる操作パネル２９ａが装着され、この操作パネル２９ａには、換気装置２９の内外と空気連通して前面に開放した取入口２９ｂと排出口２９ｃ、運転スイッチ３０、赤外線による反射受発光を用いた人体検知手段３１を備えている。
【００４６】
換気装置２９の内部後方の底面には、下方の収納容器１４の外部開口１４ｃに空気連通する捕集風路２９ｄと、供給風路２９ｅを各々配置すると共に、前記供給風路２９ｅと、取入口２９ｂを含む取入風路２９ｆと、排出口２９ｃを含む排出風路２９ｇと、前記の捕集風路２９ｄをこの順に直列に連通して配置し、さらに風路開閉切替手段３２として、４連からなる直動式弁体３２ａおよびこれを駆動する電磁ソレノイド３２ｂと、電磁ソレノイド３２ｂの直動子３２ｃの端部に枢支され、前記の直動式弁体３２ａの連結軸３２ｄと接合する切替リンク３２ｅと、直動子３２ｃの軸芯方向に引っ張り作用をなす戻しばね３２ｆにより構成している。
【００４７】
直動式弁体３２ａは、連結軸３２ｄ軸心方向の往復動作により、前記４区画の境界壁のいずれかに当接することで、４区画の風路の内、選択された２区画同士を空気連通する形態となり、捕集風路２９ｄあるいは供給風路２９ｅの開閉と、排出風路２９ｇに対する取入風路２９ｆもしくは捕集風路２９ｄの風路切替をおこなっている。
【００４８】
また、排出風路２９ｇの風路途中には、排出口２９ｃの上流側に遠心式ファンとモータからなる送風機２９ｈを配置し、前記風路切替手段３２との間、言いかえると捕集風路２９ｄと送風機２９ｈとの間に、空気濾過による化学、物理的吸着方式の脱臭手段３４を配置している。
【００４９】
次に、収納容器１４あるいはこれを装着する引き出し枠部材１５ｂの出し入れ時に、この開閉を検知する開閉検知手段３３は、引き出し枠部材１５ｂの後方にあって、キャビネット１３の後板１３ｄに備えた磁気スイッチ３３ａと、引き出し枠部材１５ｂの後端面に嵌着具備した磁石３３ｂによって構成され、磁気スイッチ３３ａと磁石３３ｂの相対距離によって、磁気スイッチの電気的接点を閉あるいは開となるように構成配置されている。
【００５０】
また、運転スイッチ３０、人体検出手段３１、風路開閉切替手段３２、送風機２９ｈ、および引き出し機構１５からの開閉検知手段３３は、換気装置２９に組み込まれた制御手段２９ｉに電気的に接続されている。
【００５１】
次に、換気装置２９の後方に設けられた捕集風路２９ｄおよび供給風路２９ｅはそれぞれ、キャビネット１３の後板１３ｄに沿って下方の収納容器１４の後方に到る風路を形成し、蓋受け部材１８の略高さ位置で、収納容器１４の２つの外部開口１４ｃに相対して、それぞれ捕集口２９ｊと供給口２９ｋを開放している。
【００５２】
収納容器１４の外部開口１４ｃには、通気路接続手段３５として、ゴム等の弾性体で成型された中空の蛇腹ダクト３５ａを係合嵌着し、前記の捕集口２９ｊと供給口２９ｋには、漏斗形状のダクト受け部３５ｂを捕集風路２９ｄと供給風路２９ｅの外郭に一体に形成し、収納容器１４が格納位置で、蛇腹形状が縮み、ダクト受け部３５ｂの漏斗形状に圧接されることで、収納容器１４の２つの通気路２２と換気装置２９の捕集風路２９ｄと供給風路２９ｅの各々を空気接続し、外部と空気遮断している。
【００５３】
使用者は、収納容器１４内に２つの袋１７を口枠部材１６それぞれに口縁１７ａを外側へ巻き付け装着し、蓋受け部材１８を収納容器１４に被せ、これらを一体にして、キャビネット１３の前面側に引き出された引き出し枠部材１５ｂに載置装着し、例えば、台所資源ごみとして、包装ラップ類と食品トレー等をそれぞれ分別して、前記２つの袋に投入保管し、引き出し機構１５により、収納容器１４をキャビネット１３の奥方へ押し入れる。
【００５４】
スライドレール１５ａの押し込みストローク後半では、蓋受け部材１８の後方端の蓋当接部１８ｃが、蓋部材１９の容器当接部１９ｃに当接する位置より奥方で、収納容器１４の押し込み動作に応じて、蓋部材１９およびこれを懸垂支持する蓋支持部材２６の蓋支持板２６ａが奥方へ押し込まれると、平行リンク機構２７により、蓋部材１９および蓋支持板２６ａは、略水平姿勢を維持しつつ、蓋部材１９に嵌着されたシールパッキン２０を圧縮しながら、蓋受け部材１８との相対距離を縮めて下降し、蓋部材１９は、回転リンク２６ｅの下死点にてシールパッキン２０を最圧縮した状態となり、これより少許蓋部材１９が上昇した図示（ア）位置で、スライドレール１５ａのストローク終了点となり、収納容器１４および引き出し枠部材１５ｂは、格納位置に定位する。
【００５５】
上記の格納位置では、収納容器１４内の通気路２２と換気装置２９内の捕集風路２９ｄおよび供給風路２９ｅは、通気路接続手段３５により空気連通されていると共に、外部と空気離隔された状態を形成している。
【００５６】
また上記の格納位置では、復帰ばね２８は、平行リンク機構２７の自由端２７ｂを後方に押し入れる作用方向になり、蓋支持板２６ｅおよび蓋部材１９は、シールパッキン２０の圧接力を介して、蓋受け部材１８すなわち収納容器１４を奥方に押し入れる作用を維持し続けるので、引き出し機構１５は、格納位置での定位を持続する。
【００５７】
従って、他のロック機構等なしで、収納容器１４の格納位置の定位すなわち閉塞閉成維持が可能であり、収納容器１４の密閉と格納持続が、単一の機構により実現でき、信頼性、操作取扱性に良好なものとなる。
【００５８】
一方、収納容器１４の開成時は、収納容器１４の前面側への移動に連れて、蓋受け部材１８と蓋部材１９との間のシールパッキン２０の圧縮力の作用により、蓋部材１９を前面側に移動させる作用を生じせしめ、さらに、回転リンク２６ｅが下死点を通過して以降は、前記の圧縮力の作用に加えて、復帰ばね２８が、平行リンク機構２７の自由端２７ｂを手前側に引き戻す作用をなし、蓋部材１９は、さらに前面側に移動上昇する。
【００５９】
さらに収納容器１４を手前に引き出す動作を継続すると、蓋部材１９は、図示（イ）の上昇位置で定位し、収納容器１４の閉塞密閉が解かれ、収納容器１４は開成位置まで引き出される。
【００６０】
このように、収納容器１４の前後方向の移動動作が、蓋部材１９と収納容器１４の閉塞開放動作と機械的に連動しており、取扱性に優れた収納容器装置を提供できる。
【００６１】
また、収納容器１４を装着した引き出し機構１５が格納閉成状態では、開閉検知手段３３の磁気スイッチ３３ａと磁石３３ｂは、所定の少許空隙を有して対向位置に近接するので、開閉検知手段３３は、収納容器１４ならびに引き出し機構１５を閉成として認識し、制御手段２９ｉに信号を伝達する。
【００６２】
収納容器１４が閉成状態で、運転スイッチ３０にて換気装置２９を運転させると、制御手段２９ｉにより風路開閉切替手段３２のソレノイド３２ｂに通電され、直動子３２ｃを電磁吸引し、図示の矢印（ウ）方向に移動することで、切替リンク３２ｅの動作を介して連結軸３２ｄは、軸方向の一端位置に移動し、直動式弁体３２ａは、捕集風路２９ｄと排出風路２９ｇ、取入風路２９ｆと供給風路２９ｅをそれぞれ空気連通する位置に定位し、送風機２９ｈが運転する通常換気モードとなる。
【００６３】
取入口２９ｂから吸引された外気は、図の矢印（Ｆ）に示すように、取入風路２９ｆ、供給風路２９ｅ、収納容器１４の給気路２３、袋１７内、排気路２４、捕集風路２９ｄ、排出風路２９ｇ、脱臭手段３４、送風機２９ｈ、排出口２９ｃの順に通過し、室内に放出される。
【００６４】
この時、袋１７内のごみ臭気は、脱臭手段３４により濾過され、臭気強度を減じて、室内放散されるので、室内使用のごみ用収納容器１４としては、非常に快適性の高いものが提供できる。
【００６５】
上記の通常換気モード運転が一定時間経過した後は、制御手段２９ｉによりソレノイド３２ｂへの給電を断ち、直動子３２ｃは戻しばね３２ｆにより、ソレノイド３２ｂから引き出され、切替リンク３２ｅを介して、連結軸３２ｄおよび直動式弁体３２ａは矢印（ウ）と反対方向に移動し、（エ）位置で定位する。
【００６６】
つまり、風路開閉切替手段３２は、捕集風路２９ｄと供給風路２９ｅを連通し、かつ取入風路２９ｆと排出風路２９ｇを連通するように、つまり捕集口２９ｊおよび供給口２９ｋを外気から閉塞遮断し、脱臭手段３４を取入口２９ｂを通じて外気に開放する状態になる。
【００６７】
この状態で送風機２９ｈの運転を継続し、取入口２９ｂから導入された新鮮空気が、取入風路２９ｆから風路開閉切替手段３２を経て、直接排出風路２９ｇに導入され、脱臭手段３４に供給されることで、脱臭手段３４の活性化を行う、活性化モード運転をおこなう。
【００６８】
前記活性化モードは、さらに一定時間継続した後、送風機２９ｈのみが停止する。
【００６９】
以上、風路開閉切替手段３２の動作は、送風機２９ｈの停止時は、脱臭手段３４に対して取入口２９ｂを選択して外気に開放し、捕集口２９ｊと供給口２９ｋは連通され言いかえると収納容器１４を閉塞した状態となる。
【００７０】
逆に、送風機２９ｈの運転中は、脱臭手段３４に対して風路開閉切替手段３２は捕集口２９ｊを選択し収納物の臭気を脱臭する通常換気モード、あるいは脱臭手段３４に対して風路開閉切替手段３２が取入口２９ｂを選択し脱臭手段３４の外気による活性化モードのいずれかになる。
【００７１】
送風機２９ｈが一定時間停止した後は、上記の通常換気モードに戻ることで、換気装置２９は一定間隔で間欠運転を継続する。
【００７２】
ここで、上記の通常換気モード、添加モード、活性化モードあるいは停止モードのいずれかの運転中に、換気装置２９の前方に人が近づくと、人体検知手段３１より発せられる赤外線が人体に反射したことを検知した信号により、制御手段２９ｉは風路開閉切替手段３２を、通常換気モードと同じ図示（ウ）位置に直動式弁体３２ａを平行移動定位させ、さらに送風機２９ｈを通常換気モードよりも高能力で一定時間連続運転する人体検知モードとなる。
【００７３】
これにより、人体検知がおこなわれること、つまり使用者が収納容器１４を引き出し、食品・ごみ等の取り出し作業に入ることを予測し、可能な限り早い段階で、収納容器１４内の臭気空気を通常よりも高速で脱臭して室内に放出することができ、また前記に引き続いて生じる収納容器１４の開成中に上方近傍に滞留する臭気空気の吸引量も高くなるので、収納物の出し入れ作業中は、収納容器１４からの臭気拡散が低減され快適性が向上する。
【００７４】
上記の人体検知モードは一定時間経過の後、制御手段２９ｉにより、再び通常換気モードに自動的に復帰する。
【００７５】
また、人体検知手段３１が、一定時間内に人体を検知しない状態が継続する場合には、送風機２９ｈを運転停止させる間欠間隔を長く設定するように制御手段２９ｉを構成することも可能であり、例えば夜間や不在時などは、ごみの出し入れ作業が行われないので、電気代あるいは運転音を逓減する効果を附加することができ、より好適である。
【００７６】
次に、収納容器１４および引き出し機構１５が開成状態になった場合は、開閉検知手段３３の磁気スイッチ３３ａと磁石３３ｂの相対距離が大きくなり、開閉検知手段３３は収納容器１４を開成として認識し、制御手段２９ｉに信号を伝達する。
【００７７】
この時、制御手段２９ｉは風路開閉切替手段３２を、通常換気モードと同じ図示（ウ）位置に直動式弁体３２ａを平行移動定位させ、さらに送風機２９ｈを通常換気モードよりも高能力で一定時間連続運転し、さらに収納容器１４の開成が継続する場合は、送風機２９ｈを停止させ、風路開閉切替手段３２は、図示（エ）位置に定位し、換気装置２９の運転を停止させる収納部開放モードとなる。
【００７８】
同時に、換気装置２９の運転終了時点の前後で、ブザー等の鳴動によって、収納容器１４の開放持続を使用者に報知することも可能である。
【００７９】
これにより、使用者が収納容器１４を引き出し、食品・ごみ等の取り出し作業を行なっている間は、収納容器１４周辺に滞留する臭気空気を通常よりも高速で吸引し、脱臭して室内に放出することができ、収納物の出し入れ作業中は、収納容器１４からの臭気拡散が低減され快適性が向上し、また、収納容器１４の開放報知により、収納容器１４の閉め忘れすなわち臭気の漏れを回避する等の換気収納庫の利便性をより一層向上させることができる。
【００８０】
また、送風機２９ｈは一定時間後に自動的に停止するので、収納容器１４が開放されていることに対して、送風機２９ｈの運転を無駄に継続することなく、電気代の節約につながる。
【００８１】
本実施の形態では、蓋受け部材１８を収納容器１４に被せて装着するのみで、収納容器１４内に給気と排気の２系統の通気路２２が形成され、いずれの部材も樹脂等の成型品で一体に簡素に構成されているので、取扱は簡単であり、物品を収納する容器として、それぞれの部材の清掃性についてもすぐれた構造を提供している。
【００８２】
また、収納容器１４の区画部材２５としては、簡素な構成の線材になる口枠部材１６と汎用性が高い袋１７のみで構成され、同じく取扱性は極めて優れたものとなる。
【００８３】
さらに、２つの収納区画に対して各々通気路２２の通気開口２１を設けており、換気装置２９から、それぞれの区画の一方側上方より空気が供給され、底方の収納物に触れ、他方側の上方に上昇し排出され、換気装置２９に戻る換気がおこなわれるので、収納容器１４内の換気効率が高く、その分、換気装置２９の運転時間も少ない設定が可能となり、経済的あるいは静音性能の換気付き収納容器装置１１が提供できる。
【００８４】
収納容器１４と換気装置２９は、通気路接続手段３５により、空気接続と開放が自在な構成としており、キャビネット１３からの引き出し式収納容器１４とすることで、収納家具等における収納容器装置としては、収納出し入れ作業性に優れ利便性の高いものとなる。
【００８５】
加えて、本実施の形態においては、通常の低風量間欠運転の通常換気モード、人体検知した場合の高風量連続運転の人体検知モード、あるいは収納部開放モードを設けることにより、ごみの出し入れ作業中は臭気を感じないで快適に作業することができ、通常の設置状態では臭気が室内へ拡散することを継続的に防止することができ、しかも、換気装置を長期間に亘り連続して使用するために、通常では送風機を間欠運転することにより、電気代の削減ができ、また換気装置の耐久性も延ばすことができる。
【００８６】
さらに、脱臭手段の活性化を外気空気によって自動的に実施する活性化モードにより、長期間に亘り脱臭手段の能力を維持することができ、またそのための手間も省ける。
【００８７】
なお、本実施の形態においては、脱臭手段を活性化するための活性化モードを、通常換気モード毎に実施しているが、脱臭手段の性能や使用時間、また臭気の度合等にあわせて回数を変化させたり、通常換気モードでは実施せずに一定の運転時間が経過した後に専用の運転モードで実施することでも、同様な効果を発揮することができる。
【００８８】
なお、本実施の形態においては、脱臭手段を化学もしくは物理的吸着による空気濾過方式とし、これに新鮮空気を附加することで活性化を行なう方式としたが、触媒により吸着分子を化学分解するとともに触媒を高温加熱あるいは紫外線等の光により再活性化する方式とすれば、空気通路の切り替えが不要となり、換気装置の捕集開閉手段あるいは供給開閉手段は、空気流動による空気圧を利用した開閉弁とすることで、本実施の形態になる風路切替手段に替えて、換気装置は簡素化して構成可能であり、より好適である。
また、キャビネット１３の上部は、カウンター１１ａとしたが、他のキャビネット１３を上部に積み重ねた配列や、単独のキャビネット１３として配置構成してもよい。
【００８９】
（実施の形態２）
図８は本発明の実施の形態２における換気付き収納容器装置の外観斜視図を示し、図９は収納容器部の外観斜視図を示し、図１０は収納容器部分の分解斜視図を示し、図１１はワゴンの換気装置の外観斜視図を示し、図１２はワゴンの背面斜視図を示し、図１３は収納容器の通気路部分の要部縦断面図を示すものである。
【００９０】
実施の形態１と異なる点は、換気付き収納容器装置１１として、複数の収納容器および換気装置がワゴンに組み込まれていることである。
【００９１】
システムキッチン１２のカウンター１２ａ下にあって一般の収納庫１２ｄに隣接して格納され、使用位置へ出し入れ移動自在なワゴン４１には、ワゴン筐体４１ａ上部の横枠４１ｂに、２個の収納容器４２を上方より着脱自在に載置装着し、前記収納容器４２に空気連結開放自在な構成を有しワゴン筐体４１ａの側面に一体的に組み込んだ換気装置４３と、ワゴン４１を搬送自在にする４輪のキャスター４１ｃを備えている。
【００９２】
２個の収納容器４２は共に、上部に略矩形平面をなす開放縁４２ａを有する略函状に成型され、開放縁４２ａを形成する上部外周壁４２ｂの対向２辺の各々には、収納容器４２内外を連通する外部開口４２ｃが正対向して設けられ、前記の２辺に隣り合う１辺は前記の上部外周壁４２ｂが、外部開口４２ｃを形成した上部外周壁４２ｃと連続して形成され、開放縁４２ａの残りの１辺と前記外部開口４２ｃを設けた２辺には、上部外周壁４２ｂの上面に平坦部を有する蓋当接部４２ｊを一体的に形成している。
【００９３】
さらに前記の外部開口４２ｃより少許底方には、開放縁４２ａと平行に所定の幅の平坦な段部４２ｄを収納容器４２の４辺に設け、前記段部４２ｄの端部はさらに、実施の形態１と同じ構成になる、中間部外周壁４２ｅ、区画部材受け部４２ｆ、下部外周壁４２ｇと底部４２ｈにより収納容器４２を函状に形成している。
【００９４】
また、外部開口４２ｃ寄りの上部外周壁４２ｂの一辺の外側には、蓋部材４４を開閉回動可能に軸支持するヒンジ軸４２ｉとこの支持基部を収納容器４２に一体的に備えている。
【００９５】
さらに、前記のヒンジ軸４２ｉを設けた上部外周壁４２ｂと２つの外部開口４２ｃに亘り、略コの字平面で縦断面が全域に渡って中空に成型した通気路部材４５を、収納容器４２の上部外周壁４２ｂの内面に沿って嵌着取り付けしている。
【００９６】
通気路部材４５は、収納容器４２の２つの外部開口４２ｃに一致して相対位置に風路開口４５ａを設けると共に、通気路部材４５の天面は、収納容器４２の蓋当接部４２ｊと同様の形状で構成した蓋当接部４５ｂを形成し、さらに、通気路部材４５の側面の２箇所には、収納容器４２の底方に向かって開放した通気開口２１を一体的に形成している。
【００９７】
以上の構成で、収納容器４２の上面開放縁４２ａの３方の蓋当接部４２ｊと通気路部材４５の天面となる蓋当接部４５ｂにより、収納容器４２の物品出し入れ開口４２ｋを形成している。
【００９８】
一方、収納容器４２の段部４２ｄには、収納容器４２内の下部外周壁４２ｇから底部４２ｈにかけての内容積を略２分割に仕切る区画部材４６を、線材と板体により構成して装着しており、通気路部材４５に対して直交方向に２区画を配列形成しており、さらに２区画各々の内方に向かって通気開口２１を開放している構成となる。
【００９９】
収納容器４２の物品出し入れ開口４２ｋを閉塞開放する蓋部材４４は、下面に弾性体になるシールパッキン２０を嵌着して備えた蓋体４４ａと、収納容器４２のヒンジ軸４２ｉと嵌合してこの軸周りに回動自在となるヒンジ部４４ｂを成型にて一体的に構成し、蓋体４４ａを下方に閉成した場合、蓋部材４４の自重により、シールパッキン２０が、蓋当接部４２ｊ・４５ｂに押し付け圧縮されることで、収納容器４２と蓋部材４４は外部から密閉閉塞される収納空間を形成する。
【０１００】
次に、換気装置４３は、収納容器４２の装着部に隣接してワゴン４１の側部に配置され、前面側に操作パネル４３ａが設けられ、これには運転スイッチ３０と、操作パネル４３ａ前面の最上部に、上方向かつ前後左右約３６０度周囲の赤外線を感知する受光体を用いた人体検知手段３１を備えている。
【０１０１】
また、換気装置４３の下方には室内空気の取入口４３ｂを設け、ここから遠心式ファンとモータになる送風機２９ｈを途中に配置して、換気装置４３上部の収納容器４２に向けて開放された供給口４３ｃに至る供給風路４３ｄを形成して、運転スイッチ３０、人体検出手段３１、送風機２９ｈは換気装置４３に組み込まれた制御手段４３ｅに電気的に接続されている。
【０１０２】
さらには、換気装置４３には、この駆動電源としての電池４３ｆを備え、ワゴン４１が任意場所にあっても換気装置４３が運転可能なものとしている。
【０１０３】
加えて、収納物の調質媒体の添加手段４９として、害虫の忌避成分を含浸させこれが微量ずつ空気放散される多孔質材からなる添加剤フィルター４９ａを、送風機２９ｈと供給口４３ｃの間に、取り外し交換自在に装着している。
【０１０４】
次に、収納容器４２同士および先頭の収納容器４２と換気装置４３の風路の空気接続の構成として、換気装置４３の供給口４３ｃは、先頭の収納容器４２の外部開口４２ｃに相対して、この供給口４３ｄには、通気路接続手段４７として、ゴム等の弾性体で中空に成型された実施の形態１と同一の蛇腹ダクト３５ａを係合嵌着している。
【０１０５】
また、２つの収納容器４２の間には、前記の蛇腹ダクト３５ａの先端形状をいずれの開放端部にも備えた中間蛇腹ダクト４７ａが、同じくゴム等の弾性体で中空に成型され、通気路接続手段４７として、ワゴン筐体４１ａに嵌着取付されている。
【０１０６】
さらに、２つ目の収納容器４２の換気装置４３とは反対側の位置には、前記蛇腹ダクト３５ａと類似の形状で、一端側が盲状に封止され他端を開放した中空蛇腹形状の通気路閉塞手段４８をゴム等の弾性体で成型し、ワゴン筐体４１ａに嵌着取付している。
【０１０７】
一方、通気路接続手段４７の前記蛇腹ダクト３５ａや中間蛇腹ダクト４７ａや通気路閉塞手段４８を当接し受ける構成として、収納容器４２の外部開口４２ｃと通気路部材４５の風路開口４５ａを貫通して、ゴム等の弾性体にて成型された漏斗形状のダクト受け部材４７ｂを、収納容器４２の全ての外部開口４２ｃに嵌着取付している。
【０１０８】
以上の構成で、収納容器４２をワゴン筐体４１ａに装着すると、通気路接続手段４７と通気路閉塞手段４８の各蛇腹ダクト形状が風路方向に少許縮み、ダクト受け部材４７ｂの漏斗形状に圧接されることで、収納容器４２の通気路２２同士および換気装置４３の供給風路４３ｄの各々を空気接続し、外部と空気遮断している。
【０１０９】
実施の形態１と同符号のものは同一構造を有し、説明は省略する。
【０１１０】
以上のように構成された収納容器４２および換気装置４３について、以下その動作、作用を説明する。
【０１１１】
使用者は、区画部材４４を収納容器４２に装着し、これらを一体にしてワゴン４１の筐体４１ａに載置装着し、例えば、台所資源ごみとして、ペットボトル等の樹脂容器と食品缶容器と食品瓶容器と食品トレー等の４種類をそれぞれ分別して投入保管し、蓋体４４ａを下方に降ろす。
【０１１２】
２つの収納容器４２をワゴン筐体４１ａに装着することのみで、換気装置４３の供給口４３ｃから２つの収納容器４２の通気路部材４５つまり通気路２２を経て、２つ目の収納容器４２の側部に配した通気路閉塞手段４８に到る風路が形成される。
【０１１３】
換気装置４３の運転については、通常、送風機２９ｈが間欠運転をおこない、かつ人体検知手段３１により、ワゴン４１の周囲に人が居ない状態が継続すれば、送風機２９ｈの間欠運転の間隔を長く設定している。
【０１１４】
換気装置４３の送風機２９ｈの運転中は、図の矢印（Ｆ）に示すように空気流を生じせしめ、換気装置４３の供給風路４３ｄ言い換えると収納容器４２の通気路２２の最上流に備えた添加剤フィルター４９ａにより、害虫忌避成分は外気を混合し、各収納容器４２の各収納区画に対して、通気路部材４５に設けた通気開口４５ｃより放出され、収納容器４２の底方の収納物に到達する。
【０１１５】
これにより、添加剤を含む空気で収納容器４２の内部を充填することにより、収納保管物であるごみや食品等への害虫侵入を阻止しているので、室内使用のごみや食品用の収納容器４２としては、非常に快適性の高いものが提供できる。
【０１１６】
また各収納容器４２への送風が停止しても、収納容器４２を閉塞していることで、調質媒体が密封され、より経済的に添加手段の維持効果をあげることができる。
【０１１７】
本実施の形態では、同一共通構成の収納容器４２を複数個並列に配してワゴン４１に装着する作業のみで、自動的に換気装置４３と空気連通がなされ、収納容器４２内に添加剤を空気散布することができ、しかもワゴン４１として収納容器４２が移動自在であり、キッチン作業等に対しては、物品の保管の利便性に優れたものとなる。
【０１１８】
さらに、収納物の腐敗を抑制不活性化する添加手段を用いれば、収納物の保管がより長期に亘っておこなえ、この点においても、換気付き収納容器装置の利便性は優れたものとなる。
【０１１９】
加えて、電池４３ｃにより換気装置４３が運転使用可能であるので、ワゴン４１に組み込んで任意の位置に移動させて、ごみ捨てあるいは物品収納位置で出し入れ使用し、システムキッチンの所定格納位置に納めておけるので、インテリア性と利便性を兼ね備えており好適であり、電池４３ｃを、外部電源と接続開放し充電可能なものにすれば、より一層収納容器装置１１の利便性は高まる。
【０１２０】
一方、本実施の形態では、収納容器４２と換気装置４３を共にワゴン４１に備えたが、収納容器４２のみをワゴン４１に備え、換気装置４３は、システムキッチン等のワゴン４１の格納位置に備え、ワゴン４１が格納状態で、収納容器４２の外部開口４２ｃと換気装置４３の供給口４３ｃを、実施の形態１と同様の通気路接続手段３５で接続開放自在に構成すれば、物品の出し入れ収納時のみ必要な場所へワゴン４１つまり収納容器４２を移動させ、作業終了後にワゴン４１を格納し、換気装置４３からの通気を付与することで、利便性が高まり、かつ本実施の形態における電池４３ｆが不要となり、収納容器装置１１は簡素化される。
【０１２１】
本実施の形態では、調質媒体の添加手段４９を備えているが、この手段がないものとして、単なる送風のみの換気装置としても、収納物品によっては鮮度維持効果を保つことが可能であり、より好適である。
【０１２２】
また、添加手段４９は、本実施の形態では、害虫の忌避目的としたが、食品等の腐敗を抑制する窒素ガスや脱酸素効果を有する成分を添加するもの、取入外気の湿度を減じる除湿剤、制菌や防黴効果を有する電荷イオン分子等の気中添加可能な媒体であれば、収納物品に最適に、かつ複数種を併用する選択が容易に可能であり、本実施の形態による、換気装置４３への添加手段４９の組み込み以外に、通気路接続手段４７に添加手段４９を組み込むことも可能であり、先頭の収納容器４２と二つ目の収納容器４２に対する添加手段４９の種類を異にすることも可能であり、以上、収納容器装置１１の性能・利便性はさらに優れたものになる。
【０１２３】
また、実施の形態１では、収納容器１４内の臭気空気の脱臭換気とし、実施の形態２では、収納容器４２内への空気添加送風としたが、脱臭と添加を組み合わせても、より利便性の高い換気付き収納容器装置が提供でき、より好適である。
【０１２４】
さらに、実施の形態１では、収納容器１４を１個のみで構成したが、実施の形態２になる通気路接続手段の構成を用いて、複数個の収納容器を通気路直列となるように組み込みすることも可能であり、また、実施の形態１になる換気装置の捕集風路と供給風路を複数組の並列に形成して、複数個の収納容器１４を並列に配置組み込みすることも可能である。
【０１２５】
以上、本発明の通気路の構成は構造が簡素であり、函体収納容器の構造に対して大きく構成を変更することなく形成可能であるとともに、収納容器内の奥方の収納物品に対して、手前側からの効率的な空気循環を賦与することについては、極めて汎用性の高いものが提供できる利点を有している。
【産業上の利用可能性】
【０１２６】
以上のように、本発明にかかる換気付き収納容器装置は、外部の換気装置と空気連通した収納容器内の空気循環換気が効率的におこなえ、しかも収納容器の数量に制限を受けない構成としているので、キッチンのごみ・食品収納保管に留まらず、食器や衣料雑貨、医化学物質材料の保管、食品調理醸造、動植物飼育栽培等の用途にも適用できる。
【図面の簡単な説明】
【０１２７】
【図１】本発明の実施の形態１における換気付き収納容器装置の斜視図
【図２】本発明の実施の形態１における収納容器の分解状態を示す斜視図
【図３】本発明の実施の形態１における収納容器の斜視図
【図４】本発明の実施の形態１における換気付き収納容器装置の要部縦断面図
【図５】本発明の実施の形態１における換気付き収納容器装置の縦断面図
【図６】本発明の実施の形態１における要部縦断面図
【図７】本発明の実施の形態１における換気装置部の横断面図
【図８】本発明の実施の形態２における換気付き収納容器装置の斜視図
【図９】本発明の実施の形態２における収納容器の斜視図
【図１０】本発明の実施の形態２における収納容器の分解状態を示す斜視図
【図１１】本発明の実施の形態２における換気装置の斜視図
【図１２】本発明の実施の形態２におけるワゴンの背面を示す斜視図
【図１３】本発明の実施の形態２における収納容器の通気路を示す要部縦断面図
【図１４】従来の送風脱臭装置付き収納容器の断面図
【符号の説明】
【０１２８】
１４、４２  収納容器
１４ａ、４２ａ  開放縁
１４ｃ、４２ｃ  外部開口
１４ｇ  口枠部材受け部
１６  口枠部材
１７  袋
１８  蓋受け部材
１９、４４  蓋部材
２１、４５ｃ  通気開口
２２  通気路
２３  給気路
２４  排気路
２５、４６  区画部材
２９、４３  換気装置
３４  脱臭手段
３５、４７  通気路接続手段
４１  ワゴン
【図１】
2006122566.tif 000003
【図２】
2006122566.tif 000004
【図３】
2006122566.tif 000005
【図４】
2006122566.tif 000006
【図５】
2006122566.tif 000007
【図６】
2006122566.tif 000008
【図７】
2006122566.tif 000009
【図８】
2006122566.tif 000010
【図９】
2006122566.tif 000011
【図１０】
2006122566.tif 000012
【図１１】
2006122566.tif 000013
【図１２】
2006122566.tif 000014
【図１３】
2006122566.tif 000015
【図１４】
2006122566.tif 000016